(57)【特許請求の範囲】
【請求項１】
ボス部(1)の外周に複数の翼部(2)が放射状に突出された熱交換器用冷却ファンにおいて、
そのファンの消費動力を減少させるため、各翼部(2)の回転方向の前縁(3)が次の条件を有する熱交換器用冷却ファン。
(1)その前縁(3)の半径方向の先端（Ｂ）と、その前縁(3)の付根（Ａ）とを結ぶ直線（Ｄ）が、その付根（Ａ）とボス部(1)の中心Ｏとを結ぶ直線（Ｅ）より回転方向の前方にあり、その両直線（Ｄ）（Ｅ）のなす角αが10度〜25度の範囲にある。
(2)その前縁(3)は、その半径方向の中間部が回転方向前方に凸となる弧状に形成され、その弧状の曲率半径Ｒとファンの直径であるファン径Ｄ０との比、Ｒ/Ｄ０が0.18〜0.42である。
【請求項２】
請求項１に記載の熱交換器用冷却ファンにおいて、
前記翼部(2)の後縁は、その半径方向の中間部が回転方向前方に凸となる曲線状に形成され且つ、その半径方向の先端部が回転方向の後方に突出され、
その半径方向の先端部の突出端とボス部(1)の中心Ｏとの半径ｒ１、中間位置と中心Ｏとの半径ｒ２、付根と中心Ｏとの半径ｒ３おける各翼幅ａ，ｂ，ｃが、中心Ｏに対する中心角で、次の比率にある。
ａ：ｂ：ｃ＝1：0.92：1.31
【発明の詳細な説明】
【技術分野】
【０００１】
本発明は、自動車用熱交換器のコアに対向して配置される冷却ファンに関する。
【背景技術】
【０００２】
従来の自動車用熱交換器のファンは、熱交換器コアの背面に対向して配置され、電気モータやエンジンの回転軸等によって駆動され、熱交換器コアの前面側から背面側に起風するものである。この冷却ファンは、ボス部の外周に複数の翼部が一体に形成されている。
図９は、従来型冷却ファンの一例（下記特許文献１に記載）を示し、ボス部１の外周に多数の翼部２が放射状に突設されている。そして、矢印の回転方向の前縁３は、その付根Ａとボス部１の中心とを結ぶ直線Ｅと、前縁３の先端Ｂとボス部１の先端とを結ぶ直線Ｄとのなす角αが１°程度であり、略両直線Ｅ，Ｄは一致するといえる。なお、より厳密には前縁の先端には、小さな円弧（図１参照）が形成されているので、前縁の先端Ｂとは翼部２の先端の延長線と前縁の延長線との交点をいう（以下同じ）。
【先行技術文献】
【特許文献】
【０００３】
【特許文献１】特開２００３−２３９８９４号公報
【発明の概要】
【発明が解決しようとする課題】
【０００４】
このような自動車用熱交換器のファンは、省エネルギーの観点から風量を維持しつつ、消費電力のより少ないものが望まれている。
そこで、本発明はコンピュータシミュレーションから、翼部の前縁の最適形状を見出し、課題を解決する。
【課題を解決するための手段】
【０００５】
請求項１に記載の本発明は、ボス部(1)の外周に複数の翼部(2)が放射状に突出された熱交換器用冷却ファンにおいて、
そのファンの消費動力を減少させるため、各翼部(2)の回転方向の前縁(3)が次の条件を有する熱交換器用冷却ファン。
(1)その前縁(3)の半径方向の先端（Ｂ）と、その前縁(3)の付根（Ａ）とを結ぶ直線（Ｄ）が、その付根（Ａ）とボス部(1)の中心Ｏとを結ぶ直線（Ｅ）より回転方向の前方にあり、その両直線（Ｄ）（Ｅ）のなす角αが10度〜25度の範囲にある。
(2)その前縁(3)は、その半径方向の中間部が回転方向前方に凸となる弧状に形成され、その弧状の曲率半径Ｒとファンの直径であるファン径Ｄ０との比、Ｒ/Ｄ０が0.18〜0.42である。
【０００６】
請求項２に記載の発明は、請求項１に記載の自動車用熱交換器のファンにおいて、
前記翼部(2)の後縁は、その半径方向の中間部が回転方向前方に凸となる曲線状に形成され且つ、その半径方向の先端部が回転方向の後方に突出され、
その半径方向の先端部の突出端とボス部(1)の中心Ｏとの半径ｒ１、中間位置と中心Ｏとの半径ｒ２、付根と中心Ｏとの半径ｒ３おける各翼幅ａ，ｂ，ｃが、中心Ｏに対する中心角で、次の比率にある。
ａ：ｂ：ｃ＝1：0.92：1.31
【０００７】
ここに、曲率半径とは、図１において、翼部２の前縁の付根の変曲部の点ｃ２とその前縁３の先端の変曲点ａ２とを共に通る半径Ｒをいう。
前縁(3)の付根（Ａ）とは、図１において、曲率半径Ｒの延長線と、ボス部１の外周との交点をいう。
前縁(3)の半径方向の先端（Ｂ）とは、図１において、曲率半径Ｒの延長線と翼部先端の直径Ｄ０の延長線との交点をいう。
【発明の効果】
【０００８】
直線ＤとＥのなす角αを10度〜25度とし、その前縁３の弧状の曲率半径Ｒとファン直径Ｄ０との比、Ｒ/Ｄ０を0.18〜0.42としたので、ファンの風量、静圧を維持して、消費動力を低減できる。
さらに、その前縁３は、その半径方向の中間部が回転方向前方に凸となる曲率半径Ｒの  弧状に形成され、その前縁３と翼部先端縁とのなす角が鈍角になるから、この自動車用熱交換器のファンは、冠水した道路の走行中に、水中で回転するファンの翼部の変形を可及的に防止できる。そのため、従来型ファンのように、それが水の存在で変形して、翼部先端が熱交換器コア表面に突き刺さり、コアを損傷することを確実に防止できる効果がある。
【図面の簡単な説明】
【０００９】
【図１】本発明の自動車用熱交換器のファンの正面図。
【図２】図１のII−II矢視断面図。
【図３】図１のIII−III線矢視図。
【図４】図１における直線Ｄと直線Ｅとのなす角αを各種変えたときのファン効率をそれぞれ示す。
【図５】図１におけるＲ/Ｄ０を各種変えたときのファン効率を示す。
【図６】本発明の冷却ファンおよび従来型冷却ファンの風量に対する静圧、トルク、効率、並びに熱交換器の圧力損失Ｖを示す。
【図７】本発明の翼部の翼端渦ｗの説明図。
【図８】従来型冷却ファンの翼端渦ｗの説明図。
【図９】従来型冷却ファンの正面図。
【発明を実施するための形態】
【００１０】
本発明の自動車用熱交換器のファンは、熱交換器コアの背面に対向して配置され、その回転によりコアの前面側から背面側に起風するものである。
このファンは図１に示すごとく、ボス部１の外周に複数の翼部２が放射状に突出されたものである。そして、各翼部２の回転方向の前縁３の形状、その他を特定し、コンピュータシミュレーション解析することにより、従来の風量を維持しつつ、ファンの消費電力を減少させたものである。
【００１１】
（解析例１）
前縁３における半径方向の先端（Ｂ）と、その前縁３の付根（Ａ）とを結ぶ直線（Ｄ）と、その付根（Ａ）とボス部(1)の中心Ｏとを結ぶ直線（Ｅ）のなす角αを、＋30°〜−30°まで変化させて、そのファン効率ηｓを測定し、その結果を図４に示す。
このとき、直線Ｄが直線Ｅより回転方向前方にある場合を同図で前進と表示し、逆に直線Ｄが直線Ｅよりも後方にある場合を後進とする。そして、図９に示す従来型ファンを基準（０％）にして、それぞれの角度におけるファン効率ηｓの向上割合を図４において％で表す。その結果、角αが前進の10°〜25°の範囲において、従来形状のファンよりも1.7〜1.8％ポイント（1.7〜1.8ポイント）だけファン効率ηｓが向上した。他の角度においては、ファン効率ηｓが前進10°〜25°よりもいずれも劣るものとなっている。
【００１２】
（解析例２）
そこで、前進10°〜25°の中間値として、前進22.5°とし、図１における前縁３のＲを変化させ、そのＲとファンの直径であるファン径Ｄ０との比であるＲ/Ｄ０と、ファン効率の変化を図５に示す。このＲは、同図においてＡ点とＢ点を通る曲率半径を意味する。なお、Ｒの中心は、Ａ点とＢ点を結ぶ直線の直角二等分線上にある。そして、図１のように前縁３側が凸になったものを図５では逆と表示し、前縁３が凹曲線になったものを正と表示し、各Ｒ/Ｄ０の大きさを変化させたとき、従来型形状に比べて、ファン効率の向上を測定した。
【００１３】
その結果、図５に示すとおり、Ｒとファン径Ｄ０との比、Ｒ/Ｄ０が0.18〜0.42の範囲で最大値を得た。その範囲は従来のファンに比べて2.1〜2.4％ポイント（2.1〜2.4ポイント）だけファン効率が上昇している。他の曲率半径では、それらよりも低い値となった。
そこで、本発明はその孤状の曲率半径を中央部が凸となる孤状であって、そのＲ/Ｄ０が0.18〜0.42を採用する。
【００１４】
次に図６は、αが22.5°で、Ｒが100mmの本発明のファンと、図９に示す従来型ファンの風量に対する静圧Ｐｓ、トルクＴ、効率ηｓを示すとともに、風量に対する熱交換器の圧力損失曲線Ｖを示したものである。この圧力損失曲線Ｖと、静圧曲線との交点が動作点である。同図で本発明のファンは×で示し、従来型のファンは■で示す。
動作点において、効率ηｓは、本願発明のほうが2.4％ポイント（2.4ポイント）改善され、消費電力は3.7％ポイント（3.7ポイント）低減した。
【００１５】
（解析例３）
そこで、ファン周りの空気の流れを可視化（シミュレーション解析によるヘリシティ分布）した。その結果、図７のごとく本発明の場合は翼部２の翼端から生じる渦ｗが隣接する翼部２の翼端にぶつからず、その内側を通過することがわかった。
これに対して、図９の従来型ファンでは、図８に示すごとく、翼部２の翼端から生じる渦ｗが隣接する翼部２の翼端に衝突するように流れていることがわかった。
【００１６】
このように翼端渦が隣接する翼に干渉する程度が低下すると、消費動力が低減すると推測できる。なお、実験では、ファン径Ｄ０は320mmであり、ボス直径は120mmである。また、各翼部２の捩れ角は、図１のa1−a2（半径ｒ１）の位置で12°、ｂ1−ｂ2（半径ｒ２）の中間位置で16°、ｃ1−ｃ2（半径ｒ３）の根元位置で20°である。各部における捩れ角βを図３に図示する。基準直線はファンの軸線に直交する面である。
その翼部の半径方向の先端部の突出端とボス部1の中心Ｏとの半径ｒ１、中間位置と中心Ｏとの半径ｒ２、付根と中心Ｏとの半径ｒ３おける各翼幅ａ，ｂ，ｃが、中心Ｏに対する中心角で、次の範囲比率ある。ａ：ｂ：ｃ＝1：0.92：1.31
【００１７】
なお、本発明は四輪の自動車用熱交換器のファンを主に開発したものであるが、自動二輪車用熱交換器のファン、建設機械等の車両用熱交換器のファンにも使用可能である。
【符号の説明】
【００１８】
１  ボス部
２  翼部
３  前縁
４  冷却ファン
Ｄ０  ファン径
Ｒ  曲率半径
【図１】
0005717620.tif 000002
【図２】
0005717620.tif 000003
【図３】
0005717620.tif 000004
【図４】
0005717620.tif 000005
【図５】
0005717620.tif 000006
【図６】
0005717620.tif 000007
【図７】
0005717620.tif 000008
【図８】
0005717620.tif 000009
【図９】
0005717620.tif 000010